(57)【要約】      （修正有）【課題】回転コネクタ装置の耐環境性を高める。【解決手段】回転コネクタ装置はステータ、回転体、および電気コネクタ３０を備えている。回転体は回転体本体およびコネクタ収容部２２を含んでいる。コネクタ収容部２２は、第１コネクタホルダ２４、第２コネクタホルダ２５、収容部外面、および第１継ぎ目Ｓ１を含んでいる。第２コネクタホルダ２５は、第２ホルダ本体、第１壁２５Ｂ、および第２壁２５Ｃを含んでいる。第１壁２５Ｂは第２ホルダ本体から回転軸線に平行な軸方向に沿って延びている。第２壁２５Ｃは、第２ホルダ本体から軸方向に沿って延びており、第１壁２５Ｂに連結されている。第２壁２５Ｃは、軸方向に直交する方向であって第１方向とは異なる第２方向に第１壁２５Ｂから延びており、第１壁２５Ｂに対して第１継ぎ目Ｓ１と反対側に配置されている。【選択図】図１０
2020136142.tif 000002
【特許請求の範囲】
【請求項１】
ステータと、
前記ステータに対して回転軸線回りに回転可能に設けられた回転体と、
前記回転体に取り付けられた電気コネクタと、を備え、
前記ステータおよび前記回転体は、前記回転軸線を取り囲むように設けられたケーブル収容空間を前記ステータおよび前記回転体の間に画定し、
前記回転体は、回転体本体と、前記電気コネクタを収容するコネクタ収容空間を有するコネクタ収容部と、を含み、
前記コネクタ収容部は、前記回転軸線に沿って前記ケーブル収容空間と反対側へ前記回転体本体から延びた第１コネクタホルダと、前記第１コネクタホルダとは別部材であって前記第１コネクタホルダに取り付けられた第２コネクタホルダと、前記回転軸線に沿って見た場合に前記コネクタ収容空間を取り囲むように配置された収容部外面と、前記第１コネクタホルダおよび前記第２コネクタホルダの間に設けられ前記収容部外面から前記コネクタ収容空間の方に延びた第１継ぎ目と、を含み、
前記第２コネクタホルダは、前記電気コネクタを支持するコネクタ支持部を含む第２ホルダ本体と、前記第２ホルダ本体から前記回転軸線に平行な軸方向に沿って延びる第１壁と、前記第２ホルダ本体から前記軸方向に沿って延び前記第１壁に連結された第２壁と、を含み、
前記第１壁は、前記軸方向に直交する第１方向に延び、前記コネクタ収容空間と前記第１継ぎ目との間に配置され、
前記第２壁は、前記軸方向に直交する方向であって前記第１方向とは異なる第２方向に前記第１壁から延び、前記第１壁に対して前記第１継ぎ目と反対側に配置される、
回転コネクタ装置。
【請求項２】
前記第２方向は、前記第１方向に直交する、
請求項１に記載の回転コネクタ装置。
【請求項３】
前記第１壁は、前記第１方向において画定された第１長さを有し、
前記第２壁は、前記第２方向において画定された第２長さを有し、
前記第２長さは、前記第１長さよりも長い、
請求項１または２に記載の回転コネクタ装置。
【請求項４】
前記第１壁は、前記軸方向において前記第２ホルダ本体から画定された第１軸方向長さを有し、
前記第２壁は、前記軸方向において前記第２ホルダ本体から画定された第２軸方向長さを有し、
前記第２軸方向長さは、前記第１軸方向長さよりも短い、
請求項１〜３のいずれか１項に記載の回転コネクタ装置。
【請求項５】
前記第１コネクタホルダは、前記第１コネクタホルダを前記第２壁に連結するホルダ連結部を含む、
請求項１〜４のいずれか１項に記載の回転コネクタ装置。
【請求項６】
前記第２コネクタホルダは、前記第２壁上に設けられた連結突起を含み、
前記ホルダ連結部は、前記第１コネクタホルダを前記第２コネクタホルダに連結するように前記連結突起に引っ掛けられる、
請求項５に記載の回転コネクタ装置。
【請求項７】
前記第１壁は、前記電気コネクタと向かい合う第１壁面を含み、
前記第２壁は、前記第１壁面から前記第２方向に延びる、
請求項６に記載の回転コネクタ装置。
【請求項８】
前記第２壁は、前記電気コネクタと向かい合う第２壁面と、前記第２壁面の裏側に設けられた第４壁面と、を含み、
前記連結突起は、前記第４壁面上に設けられる、
請求項７に記載の回転コネクタ装置。
【請求項９】
前記第２コネクタホルダは、前記第２壁から前記電気コネクタと反対側に延びた第１リブと、前記第２壁から前記電気コネクタと反対側に延び前記第１リブと前記第２方向に間隔を空けて配置された第２リブと、を含み、
前記連結突起は、前記第２方向において前記第１リブおよび前記第２リブの間に配置される、
請求項６〜８のいずれか１項に記載の回転コネクタ装置。
【発明の詳細な説明】
【技術分野】
【０００１】
本願に開示される技術は、回転コネクタ装置に関する。
【背景技術】
【０００２】
車両に用いられる回転コネクタ装置が知られている（例えば、特許文献１を参照）。
【先行技術文献】
【特許文献】
【０００３】
【特許文献１】国際公開２０１８／０４７５８１号公報
【発明の概要】
【発明が解決しようとする課題】
【０００４】
回転コネクタ装置を様々な車両に対応させるために、回転コネクタ装置の耐環境性を高めることが好ましい。
【０００５】
本願に開示される技術の課題は、回転コネクタ装置の耐環境性を高めることにある。
【課題を解決するための手段】
【０００６】
第１の特徴に係る回転コネクタ装置は、ステータ、回転体、および電気コネクタを備えている。回転体はステータに対して回転軸線回りに回転可能に設けられている。電気コネクタは回転体に取り付けられている。ステータおよび回転体は、回転軸線を取り囲むように設けられたケーブル収容空間をステータおよび回転体の間に画定している。回転体は、回転体本体と、電気コネクタを収容するコネクタ収容空間を有するコネクタ収容部と、を含んでいる。コネクタ収容部は、第１コネクタホルダ、第２コネクタホルダ、収容部外面、および第１継ぎ目を含んでいる。第１コネクタホルダは回転軸線に沿ってケーブル収容空間と反対側へ回転体本体から延びている。第２コネクタホルダは、第１コネクタホルダとは別部材であり、第１コネクタホルダに取り付けられている。収容部外面は、回転軸線に沿って見た場合にコネクタ収容空間を取り囲むように配置されている。第１継ぎ目は、第１コネクタホルダおよび第２コネクタホルダの間に設けられており、収容部外面からコネクタ収容空間の方に延びている。第２コネクタホルダは、第２ホルダ本体、第１壁、および第２壁を含んでいる。第２ホルダ本体は電気コネクタを支持するコネクタ支持部を含んでいる。第１壁は第２ホルダ本体から回転軸線に平行な軸方向に沿って延びている。第２壁は、第２ホルダ本体から軸方向に沿って延びており、第１壁に連結されている。第１壁は、軸方向に直交する第１方向に延びており、コネクタ収容空間と第１継ぎ目との間に配置されている。第２壁は、軸方向に直交する方向であって第１方向とは異なる第２方向に第１壁から延びており、第１壁に対して第１継ぎ目と反対側に配置されている。
【０００７】
第１の特徴に係る回転コネクタ装置では、第２壁が第１壁に対して第１継ぎ目と反対側に配置されているので、コネクタ収容空間に侵入する液体が電気コネクタへ到達するのを第１壁および第２壁により抑制することができる。したがって、回転コネクタ装置の耐環境性を高めることができる。
【０００８】
第２の特徴に係る回転コネクタ装置は、第１の特徴に係る回転コネクタ装置において、第２方向は第１方向に直交する。
【０００９】
第２の特徴に係る回転コネクタ装置では、コネクタ収容空間に侵入する液体が電気コネクタへ到達するのを効果的に第１壁および第２壁により抑制することができる。
【００１０】
第３の特徴に係る回転コネクタ装置は、第１または第２の特徴に係る回転コネクタ装置において、第１壁は第１方向において画定された第１長さを有している。第２壁は第２方向において画定された第２長さを有している。第２長さは第１長さよりも長い。
【００１１】
第３の特徴に係る回転コネクタ装置では、コネクタ収容空間に侵入する液体が電気コネクタへ到達するのをより効果的に第１壁および第２壁により抑制することができる。
【００１２】
第４の特徴に係る回転コネクタ装置は、第１〜第３の特徴のいずれか１つに係る回転コネクタ装置において、第１壁は、軸方向において第２ホルダ本体から画定された第１軸方向長さを有している。第２壁は、軸方向において第２ホルダ本体から画定された第２軸方向長さを有している。第２軸方向長さは第１軸方向長さよりも短い。
【００１３】
第４の特徴に係る回転コネクタ装置では、コネクタ収容空間に侵入する液体が電気コネクタへ到達するのを抑制しつつ、コネクタ収容空間を有効活用することができる。
【００１４】
第５の特徴に係る回転コネクタ装置は、第１〜第４の特徴のいずれか１つに係る回転コネクタ装置において、第１コネクタホルダは第１コネクタホルダを第２壁に連結するホルダ連結部を含んでいる。
【００１５】
第５の特徴に係る回転コネクタ装置では、第１コネクタホルダと第２コネクタホルダとを連結するのに第２壁を利用することができる。
【００１６】
第６の特徴に係る回転コネクタ装置は、第５の特徴に係る回転コネクタ装置において、第２コネクタホルダは第２壁上に設けられた連結突起を含んでいる。ホルダ連結部は、第１コネクタホルダを第２コネクタホルダに連結するように連結突起に引っ掛けられる。
【００１７】
第６の特徴に係る回転コネクタ装置では、第２壁を利用して第１コネクタホルダと第２コネクタホルダとを連結強度を高めることができる。
【００１８】
第７の特徴に係る回転コネクタ装置は、第６の特徴に係る回転コネクタ装置において、第１壁は電気コネクタと向かい合う第１壁面を含んでいる。第２壁は第１壁面から第２方向に延びる。
【００１９】
第７の特徴に係る回転コネクタ装置では、コネクタ収容空間に侵入する液体が電気コネクタへ到達するのを効果的に第１壁および第２壁により抑制することができる。
【００２０】
第８の特徴に係る回転コネクタ装置は、第７の特徴に係る回転コネクタ装置において、第２壁は、電気コネクタと向かい合う第２壁面と、第２壁面の裏側に設けられた第４壁面と、を含んでいる。連結突起は第４壁面上に設けられている。
【００２１】
第８の特徴に係る回転コネクタ装置では、第２壁を利用して第１コネクタホルダと第２コネクタホルダとを連結強度を高めることができる。
【００２２】
第９の特徴に係る回転コネクタ装置は、第６〜第８の特徴のいずれか１つに係る回転コネクタ装置において、第２コネクタホルダは第１リブおよび第２リブを含んでいる。第１リブは第２壁から電気コネクタと反対側に延びている。第２リブは、第２壁から電気コネクタと反対側に延びており、第１リブと第２方向に間隔を空けて配置されている。連結突起は第２方向において第１リブおよび第２リブの間に配置されている。
【００２３】
第９の特徴に係る回転コネクタ装置では、第２壁を利用して第１コネクタホルダと第２コネクタホルダとを連結強度を効果的に高めることができる。
【発明の効果】
【００２４】
本願に開示される技術であれば、回転コネクタ装置の耐環境性を高めることができる。
【図面の簡単な説明】
【００２５】
【図１】図１は、第１実施形態に係る回転コネクタ装置の斜視図である。
【図２】図２は、図１に示された回転コネクタ装置の回転体の分解斜視図である。
【図３】図３は、図１に示された回転コネクタ装置の別の斜視図である。
【図４】図４は、図１のラインIV−IVにおける回転コネクタ装置の断面図である。
【図５】図５は、図７のラインV−Vにおける回転コネクタ装置の部分断面図である。
【図６】図６は、図１に示された回転コネクタ装置の部分上面図である。
【図７】図７は、図５のラインVII−VIIにおける回転コネクタ装置の断面図である。
【図８】図８は、図１に示された回転コネクタ装置の部分斜視図である。
【図９】図９は、図１に示された回転コネクタ装置の電気コネクタおよび第２コネクタホルダの分解斜視図である。
【図１０】図１０は、図１６のラインX−Xにおける回転コネクタ装置の断面図である。
【図１１】図１１は、図１に示された回転コネクタ装置の第１コネクタホルダおよび第２コネクタホルダの分解斜視図である。
【図１２】図１２は、図１０のラインXII−XIIにおける回転コネクタ装置の断面図である。
【図１３】図１３は、図１に示された回転コネクタ装置の第２コネクタホルダの斜視図である。
【図１４】図１４は、図１に示された回転コネクタ装置の第２コネクタホルダの別の斜視図である。
【図１５】図１５は、図７のラインXV−XVにおける回転コネクタ装置の部分断面図である。
【図１６】図１６は、図１０のラインXVI−XVIにおける回転コネクタ装置の部分断面図である。
【図１７】図１７は、図１に示された回転コネクタ装置の第１コネクタホルダの斜視図である。
【図１８】図１８は、図１に示された回転コネクタ装置の第１コネクタホルダの別の斜視図である。
【図１９】図１９は、図１６のラインXIX−XIXにおける回転コネクタ装置の断面図である。
【図２０】図２０は、図１６のラインXX−XXにおける回転コネクタ装置の断面図である。
【図２１】図２１は、図１に示された回転コネクタ装置の第１コネクタホルダおよび第２コネクタホルダの斜視図である。
【図２２】図２２は、図１に示された回転コネクタ装置の効果を説明する図である（中立状態）。
【図２３】図２３は、図１に示された回転コネクタ装置の効果を説明する図である（第１回転状態）。
【図２４】図２４は、図１に示された回転コネクタ装置の効果を説明する図である（第２回転状態）。
【図２５】図２５は、図１に示された回転コネクタ装置の効果を説明する図である（第２回転状態）。
【図２６】図２６は、図１に示された回転コネクタ装置の効果を説明する図である（第３回転状態）。
【発明を実施するための形態】
【００２６】
以下、実施形態について図面を参照しながら説明する。図中において同じ符号は、対応するまたは同一の構成を示している。
【００２７】
図１は実施形態に係る回転コネクタ装置１の斜視図である。図１に示すように、回転コネクタ装置１はステータ１０、回転体２０および電気コネクタ３０を備えている。回転体２０はステータ１０に対して回転軸線Ａ１回りに回転可能に設けられている。本実施形態では、例えば、ステータ１０は車両本体に固定されるように構成されており、回転体２０はステアリングホイールに固定されるように構成されている。電気コネクタ３０は回転体２０に取り付けられている。電気コネクタ３０は、例えば、ステアリング側コネクタと電気的に接続されるように構成されている。ステアリング側コネクタには、ステアリングホイールのスイッチ類やエアバッグ装置等の電気回路に電気的に接続されている。電気コネクタ３０は回転体側電気コネクタとも称し得る。
【００２８】
図２は回転コネクタ装置１の回転体２０の分解斜視図である。図２に示すように、回転体２０は回転体本体２１を含んでいる。回転体本体２１は、回転プレート２１Ａ、筒状部２１Ｂ、およびスリーブ２１Ｃを含んでいる。回転プレート２１Ａは概ね環状の形状を有している。筒状部２１Ｂは、回転プレート２１Ａの内周部から回転軸線Ａ１に沿って延びており、ステアリングシャフトが通る貫通孔２１Ｄを含んでいる。貫通孔２１Ｄは回転軸線Ａ１に沿って延びている。スリーブ２１Ｃは、環状の形状を有しており、筒状部２１Ｂに取り付けられている。
【００２９】
回転体２０はコネクタ収容部２２を含んでいる。コネクタ収容部２２は電気コネクタ３０（図７）を収容するコネクタ収容空間２２Ａを有している。本実施形態では、コネクタ収容空間２２Ａは複数の収容空間２２Ａ１〜２２Ａ３を含んでいる。コネクタ収容部２２は回転体側コネクタ収容部２２とも称し得る。
【００３０】
コネクタ収容部２２は第１コネクタホルダ２４および第２コネクタホルダ２５を含んでいる。第２コネクタホルダ２５は、第１コネクタホルダ２４とは別部材であり、第１コネクタホルダ２４に取り付けられている。第１コネクタホルダ２４は回転体本体２１から回転軸線Ａ１に平行な軸方向Ｄ１に沿って延びている。
【００３１】
図３に示すように、回転コネクタ装置１はステータ側コネクタ収容部４０およびハウジングカバー４５を備えている。ステータ側コネクタ収容部４０およびハウジングカバー４５はステータ１０に取り付けられている。ステータ側コネクタ収容部４０は、車両本体に設けられた電気機器（例えば、制御装置およびバッテリー）に接続されるステータ側電気コネクタを収容する。
【００３２】
図４は図１のラインIV−IVにおける回転コネクタ装置１の断面図である。図４に示すように、ステータ１０および回転体２０は、回転軸線Ａ１を取り囲むように設けられたケーブル収容空間５０をステータ１０および回転体２０の間に画定している。例えば、ケーブル収容空間５０は、環状であり、回転軸線Ａ１に対して周方向Ｄ２に延びている。回転コネクタ装置１は電気ケーブル６０を備えている。電気ケーブル６０は、ケーブル収容空間５０内に配置されており、ステータ側コネクタ収容部４０（図２）に電気的に接続されている。電気ケーブル６０は、可撓性を有しており、平坦な形状を有している。電気ケーブル６０はフレキシブルフラットケーブルとも呼ばれている。
【００３３】
図５はコネクタ収容部２２の断面図である。図５に示すように、第１コネクタホルダ２４は回転軸線Ａ１に沿ってケーブル収容空間５０と反対側へ回転体本体２１から延びている。第１コネクタホルダ２４は回転軸線Ａ１に平行な軸方向Ｄ１に沿って回転体本体２１から延びている。本実施形態では、第１コネクタホルダ２４は、回転体本体２１の回転プレート２１Ａおよび筒状部２１Ｂと１個の単一部材として一体的に形成されている。しかし、第１コネクタホルダ２４が回転プレート２１Ａおよび筒状部２１Ｂと別部材であってもよい。
【００３４】
図６はコネクタ収容部２２の上面図である。図６に示すように、コネクタ収容部２２は収容部外面２２Ｂを含んでいる。収容部外面２２Ｂは回転軸線Ａ１に沿って見た場合にコネクタ収容空間２２Ａを取り囲むように配置されている。収容部外面２２Ｂは、第１外面２２Ｃ、第２外面２２Ｄ、第３外面２２Ｅ、および第４外面２２Ｆを含んでいる。第１外面２２Ｃは回転軸線Ａ１の方を向いている。第２外面２２Ｄは径方向外側を向くようにコネクタ収容空間２２Ａに対して第１外面２２Ｃと反対側に配置されている。第３外面２２Ｅは第１外面２２Ｃが向く方向と異なる方向を向くように第１外面２２Ｃおよび第２外面２２Ｄの間に配置されている。第４外面２２Ｆはコネクタ収容空間２２Ａに対して第３外面２２Ｅと反対側に配置されている。
【００３５】
図７はコネクタ収容部２２の断面図である。図７に示すように、本実施形態では、回転軸線Ａ１に沿って見た場合に、第３外面２２Ｅの長さＬ３は第２外面２２Ｄの長さＬ２よりも短い。回転軸線Ａ１に沿って見た場合に、第３外面２２Ｅの長さＬ３は第１外面２２Ｃの長さＬ１よりも短い。回転軸線Ａ１に沿って見た場合に、第４外面２２Ｆの長さは第２外面２２Ｄの長さよりも短い。回転軸線Ａ１に沿って見た場合に、第４外面２２Ｆの長さは第１外面２２Ｃの長さよりも短い。しかし、長さＬ１〜Ｌ４の関係は本実施形態に限定されない。
【００３６】
コネクタ収容部２２は長手方向Ｄ３を有している。軸方向Ｄ１に沿って見た場合に、コネクタ収容部２２は長手方向Ｄ３に細長い断面形状を有している。長さＬ１およびＬ２は長手方向Ｄ３に沿って画定されている。長さＬ３およびＬ４は軸方向Ｄ１および長手方向Ｄ３に直交する方向Ｄ４に画定されている。方向Ｄ４は第１方向Ｄ４とも称し得る。長手方向Ｄ３は第２方向Ｄ３とも称し得る。
【００３７】
本実施形態では、第２外面２２Ｄは第１コネクタホルダ２４および第２コネクタホルダ２５のうち第１コネクタホルダ２４上にのみ設けられている。第３外面２２Ｅは第１コネクタホルダ２４および第２コネクタホルダ２５上に設けられている。第４外面２２Ｆは第１コネクタホルダ２４および第２コネクタホルダ２５のうち第１コネクタホルダ２４上にのみ設けられている。しかし、第４外面２２Ｆが第１コネクタホルダ２４および第２コネクタホルダ２５上に設けられていてもよい。
【００３８】
コネクタ収容部２２は第１継ぎ目Ｓ１を含んでいる。第１継ぎ目Ｓ１は、第１コネクタホルダ２４および第２コネクタホルダ２５の間に設けられており、収容部外面２２Ｂからコネクタ収容空間２２Ａの方に延びている。第１継ぎ目Ｓ１は収容部外面２２Ｂから露出している。第１継ぎ目Ｓ１は、第３外面２２Ｅおよび第４外面２２Ｆのうち一方からコネクタ収容空間２２Ａの方に延びている。本実施形態では、第１継ぎ目Ｓ１は第３外面２２Ｅからコネクタ収容空間２２Ａの方に延びている。第１継ぎ目Ｓ１は第３外面２２Ｅから露出している。しかし、第１継ぎ目Ｓ１は、第４外面２２Ｆから露出していてもよく、第４外面２２Ｆからコネクタ収容空間２２Ａの方に延びていてもよい。
【００３９】
第１コネクタホルダ２４および第２コネクタホルダ２５のうち一方は第１凹部Ｃ１を含んでいる。第１コネクタホルダ２４および第２コネクタホルダ２５のうち他方は、第１凹部Ｃ１内に設けられた第１凸部Ｖ１を含んでいる。本実施形態では、第１コネクタホルダ２４が第１凹部Ｃ１を含んでおり、第２コネクタホルダ２５が第１凸部Ｖ１を含んでいる。しかし、第２コネクタホルダ２５が第１凹部Ｃ１を含んでいてもよいし、第１コネクタホルダ２４が第１凸部Ｖ１を含んでいてもよい。また、第１凹部Ｃ１および第１凸部Ｖ１がコネクタ収容部２２から省略されてもよい。
【００４０】
第１継ぎ目Ｓ１は少なくとも部分的に第１凹部Ｃ１および第１凸部Ｖ１の間に設けられている。第１凹部Ｃ１および第１凸部Ｖ１は収容部外面２２Ｂとコネクタ収容空間２２Ａとの間に配置されている。本実施形態では、第１継ぎ目Ｓ１は部分的に第１凹部Ｃ１および第１凸部Ｖ１の間に設けられている。しかし、第１継ぎ目Ｓ１が全体的に第１凹部Ｃ１および第１凸部Ｖ１の間に設けられていてもよい。
【００４１】
第１コネクタホルダ２４は第１ホルダ本体２４Ａを含んでいる。第１ホルダ本体２４Ａは、第１凹部Ｃ１、コネクタ収容空間２２Ａ、およびホルダ収容空間２４Ｂを含んでいる。第１凹部Ｃ１はホルダ収容空間２４Ｂと接続されている。第２コネクタホルダ２５は少なくとも部分的にホルダ収容空間２４Ｂ内に配置されている。
【００４２】
図７に示すように、コネクタ収容部２２は第２継ぎ目Ｓ２を含んでいる。第２継ぎ目Ｓ２は、第１コネクタホルダ２４および第２コネクタホルダ２５の間に設けられており、収容部外面２２Ｂからコネクタ収容空間２２Ａの方に延びている。第２継ぎ目Ｓ２は収容部外面２２Ｂから露出している。本実施形態では、第２継ぎ目Ｓ２は第１外面２２Ｃからコネクタ収容空間２２Ａの方に延びている。第２継ぎ目Ｓ２は第１外面２２Ｃから露出している。しかし、第２継ぎ目Ｓ２は、第２外面２２Ｄ、第３外面２２Ｅおよび第４外面２２Ｆのうち１つから露出していてもよく、第２外面２２Ｄ、第３外面２２Ｅおよび第４外面２２Ｆのうち１つからコネクタ収容空間２２Ａの方に延びていてもよい。また、第２継ぎ目Ｓ２がコネクタ収容部２２から省略されてもよい。
【００４３】
第１コネクタホルダ２４および第２コネクタホルダ２５のうち一方は第２凹部Ｃ２を含んでいる。第１コネクタホルダ２４および第２コネクタホルダ２５のうち他方は、第２凹部Ｃ２内に設けられた第２凸部Ｖ２を含んでいる。本実施形態では、第１コネクタホルダ２４が第２凹部Ｃ２を含んでおり、第２コネクタホルダ２５は第２凸部Ｖ２を含んでいる。しかし、第２コネクタホルダ２５が第２凹部Ｃ２を含んでいてもよいし、第１コネクタホルダ２４が第２凸部Ｖ２を含んでいてもよい。また、第２凹部Ｃ２および第２凸部Ｖ２がコネクタ収容部２２から省略されてもよい。
【００４４】
第２継ぎ目Ｓ２は少なくとも部分的に第２凹部Ｃ２および第２凸部Ｖ２の間に設けられている。第２凹部Ｃ２および第２凸部Ｖ２は収容部外面２２Ｂとコネクタ収容空間２２Ａとの間に配置されている。本実施形態では、第２継ぎ目Ｓ２は全体的に第２凹部Ｃ２および第２凸部Ｖ２の間に設けられている。しかし、第２継ぎ目Ｓ２が部分的に第２凹部Ｃ２および第２凸部Ｖ２の間に設けられていてもよい。
【００４５】
第１ホルダ本体２４Ａは第２凹部Ｃ２を含んでいる。第２凹部Ｃ２は第１外面２２Ｃ上に配置されている。第２凸部Ｖ２は第４壁２５Ｆから第１壁２５Ｂの方に突出している。
【００４６】
コネクタ収容部２２は第３継ぎ目Ｓ３を含んでいる。第３継ぎ目Ｓ３は第１コネクタホルダ２４および第２コネクタホルダ２５の間に設けられている。本実施形態では、第３継ぎ目Ｓ３は、収容部外面２２Ｂから露出しておらず、収容部外面２２Ｂよりも内側に設けられている。しかし、第３継ぎ目Ｓ３は、収容部外面２２Ｂから露出していてもよく、収容部外面２２Ｂからコネクタ収容空間２２Ａまで延びていてもよい。
【００４７】
第１コネクタホルダ２４および第２コネクタホルダ２５のうち一方は第３凹部Ｃ３を含んでいる。第１コネクタホルダ２４および第２コネクタホルダ２５のうち他方は、第３凹部Ｃ３内に設けられた第３凸部Ｖ３を含んでいる。本実施形態では、第１コネクタホルダ２４が第３凹部Ｃ３を含んでおり、第２コネクタホルダ２５は第３凸部Ｖ３を含んでいる。第２コネクタホルダ２５の第１壁２５Ｂは第３凸部Ｖ３を含んでいる。しかし、第２コネクタホルダ２５が第３凹部Ｃ３を含んでいてもよいし、第１コネクタホルダ２４が第３凸部Ｖ３を含んでいてもよい。また、第３凹部Ｃ３および第３凸部Ｖ３がコネクタ収容部２２から省略されてもよい。
【００４８】
第３継ぎ目Ｓ３は少なくとも部分的に第３凹部Ｃ３および第３凸部Ｖ３の間に設けられている。第３凹部Ｃ３および第３凸部Ｖ３は収容部外面２２Ｂとコネクタ収容空間２２Ａとの間に配置されている。本実施形態では、第３継ぎ目Ｓ３は全体的に第３凹部Ｃ３および第３凸部Ｖ３の間に設けられている。しかし、第３継ぎ目Ｓ３が部分的に第３凹部Ｃ３および第３凸部Ｖ３の間に設けられていてもよい。
【００４９】
第１ホルダ本体２４Ａは第３凹部Ｃ３を含んでいる。第３凹部Ｃ３はホルダ収容空間２４Ｂに接続されている。本実施形態では、第３凹部Ｃ３は第２凹部Ｃ２およびコネクタ収容空間２２Ａの間に配置されている。第３凸部Ｖ３は第２凸部Ｖ２およびコネクタ収容空間２２Ａの間に配置されている。しかし、第３凹部Ｃ３および第３凸部Ｖ３の配置は本実施形態に限定されない。
【００５０】
第１コネクタホルダ２４および第２コネクタホルダ２５のうち一方は第４凹部Ｃ４を含んでいる。第１コネクタホルダ２４および第２コネクタホルダ２５のうち他方は、第４凹部Ｃ４内に設けられた第４凸部Ｖ４を含んでいる。本実施形態では、第１コネクタホルダ２４が第４凹部Ｃ４を含んでおり、第２コネクタホルダ２５は第４凸部Ｖ４を含んでいる。第２コネクタホルダ２５の第１壁２５Ｂは第４凸部Ｖ４を含んでいる。しかし、第２コネクタホルダ２５が第４凹部Ｃ４を含んでいてもよいし、第１コネクタホルダ２４が第４凸部Ｖ４を含んでいてもよい。また、第４凹部Ｃ４および第４凸部Ｖ４がコネクタ収容部２２から省略されてもよい。
【００５１】
第１継ぎ目Ｓ１は少なくとも部分的に第４凹部Ｃ４および第４凸部Ｖ４の間に設けられている。第４凹部Ｃ４および第４凸部Ｖ４は収容部外面２２Ｂとコネクタ収容空間２２Ａとの間に配置されている。本実施形態では、第１継ぎ目Ｓ１は部分的に第４凹部Ｃ４および第４凸部Ｖ４の間に設けられている。しかし、第１継ぎ目Ｓ１が全体的に第４凹部Ｃ４および第４凸部Ｖ４の間に設けられていてもよい。
【００５２】
第４凹部Ｃ４は第１凹部Ｃ１およびコネクタ収容空間２２Ａの間に配置されている。第４凸部Ｖ４は第１凸部Ｖ１およびコネクタ収容空間２２Ａの間に配置されている。しかし、第４凹部Ｃ４および第４凸部Ｖ４の配置は本実施形態に限定されない。
【００５３】
図８はコネクタ収容部２２の斜視図である。図８に示すように、第１継ぎ目Ｓ１は回転軸線Ａ１に沿って延びている。本実施形態では、第１継ぎ目Ｓ１は第３外面２２Ｅにおいて軸方向Ｄ１に沿って延びている。第２継ぎ目Ｓ２は回転軸線Ａ１に沿って延びている。本実施形態では、第２継ぎ目Ｓ２は第１外面２２Ｃにおいて回転軸線Ａ１に沿って（軸方向Ｄ１に沿って）延びている。
【００５４】
図９は第２コネクタホルダ２５および電気コネクタ３０の分解斜視図である。図９に示すように、電気コネクタ３０は第１コネクタ３１および第２コネクタ３２を含んでいる。第１コネクタ３１は複数のバスバー３１Ａおよびバスバーケース３１Ｂを含んでいる。例えば、複数のバスバー３１Ａは金属製であり、バスバーケース３１Ｂは樹脂製である。複数のバスバー３１Ａはバスバーケース３１Ｂから軸方向Ｄ１に沿って突出している。バスバーケース３１Ｂは複数のバスバー３１Ａを保持している。第２コネクタ３２は複数のバスバー３２Ａおよびバスバーケース３２Ｂを含んでいる。例えば、複数のバスバー３２Ａは金属製であり、バスバーケース３２Ｂは樹脂製である。複数のバスバー３２Ａはバスバーケース３２Ｂから軸方向Ｄ１に沿って突出している。バスバーケース３２Ｂは複数のバスバー３２Ａを保持している。複数のバスバー３１Ａおよび３１Ｂは電気ケーブル６０（図４参照）に電気的に接続されている。
【００５５】
第２コネクタホルダ２５は第２ホルダ本体２５Ａ、第１壁２５Ｂおよび第２壁２５Ｃを含んでいる。第２ホルダ本体２５Ａは電気コネクタ３０を支持するコネクタ支持部２５Ｄを含んでいる。電気コネクタ３０はコネクタ支持部２５Ｄ上に配置されている。第１壁２５Ｂは第２ホルダ本体２５Ａから回転軸線Ａ１に平行な軸方向Ｄ１に沿って延びている。第２壁２５Ｃは、第２ホルダ本体２５Ａから軸方向Ｄ１に沿って延びており、第１壁２５Ｂに連結されている。第１壁２５Ｂは軸方向Ｄ１に直交する第１方向Ｄ４に延びている。
【００５６】
図１０はコネクタ収容部２２の断面図である。図１０に示すように、第１壁２５Ｂはコネクタ収容空間２２Ａと第１継ぎ目Ｓ１との間に配置されている。第２壁２５Ｃは第１壁２５Ｂに対して第１継ぎ目Ｓ１と反対側に配置されている。第２壁２５Ｃは、軸方向Ｄ１に直交する方向であって第１方向Ｄ４とは異なる第２方向Ｄ３に第１壁２５Ｂから延びている。第２壁２５Ｃは、第１壁２５Ｂから第１継ぎ目Ｓ１と反対側に延びており、コネクタ収容空間２２Ａ内に配置されている。
【００５７】
第１壁２５Ｂは、電気コネクタ３０と向かい合う第１壁面２５Ｂ１を含んでいる。第１壁２５Ｂは第１壁面２５Ｂ１の裏側に設けられた第３壁面２５Ｂ２を含んでいる。第１壁面２５Ｂ１および第３壁面２５Ｂ２は第２方向Ｄ３を向いている。第２壁２５Ｃは第１壁面２５Ｂ１から第２方向Ｄ３に延びている。第２壁２５Ｃは第２壁面２５Ｃ１および第４壁面２５Ｃ２を含んでいる。第２壁面２５Ｃ１は電気コネクタ３０と向かい合っている。第４壁面２５Ｃ２は第２壁面２５Ｃ１の裏側に設けられている。第２壁面２５Ｃ１および第４壁面２５Ｃ２は第１方向Ｄ４を向いている。本実施形態では、第２方向Ｄ３は第１方向Ｄ４に直交する。しかし、第２方向Ｄ３は、第１方向Ｄ４に概ね直交していてもよく、直交していなくてもよい。
【００５８】
第１壁２５Ｂは第１方向Ｄ４において画定された第１長さＡＬ１１を有している。第２壁２５Ｃは第２方向Ｄ３において画定された第２長さＡＬ２１を有している。本実施形態では、第２長さＡＬ２１は第１長さＡＬ１１よりも長い。しかし、第２長さＡＬ２１は第１長さＡＬ１１以下であってもよい。
【００５９】
第２コネクタホルダ２５は第１リブ２５Ｒ１および第２リブ２５Ｒ２を含んでいる。第１リブ２５Ｒ１は第２壁２５Ｃから電気コネクタ３０と反対側に延びている。第２リブ２５Ｒ２は、第２壁２５Ｃから電気コネクタ３０と反対側に延びており、第１リブ２５Ｒ１と第２方向Ｄ３に間隔を空けて配置されている。本実施形態では、第１リブ２５Ｒ１および第２リブ２５Ｒ２は、第２壁２５Ｃの第４壁面２５Ｃ２から第１方向Ｄ４に突出している。しかし、第１リブ２５Ｒ１および第２リブ２５Ｒ２のうち少なくとも１つが第２コネクタホルダ２５から省略されてもよい。
【００６０】
図１１に示すように、第１コネクタホルダ２４は第１コネクタホルダ２４を第２壁２５Ｃに連結するホルダ連結部２４Ｋを含んでいる。ホルダ連結部２４Ｋは第１ホルダ本体２４Ａから軸方向Ｄ１に沿って第２ホルダ本体２５Ａの方に突出している。ホルダ連結部２４Ｋは連結溝２４Ｋ１を含んでいる。
【００６１】
図１０に示すように、第２コネクタホルダ２５は第２壁２５Ｃ上に設けられた連結突起２５Ｋを含んでいる。ホルダ連結部２４Ｋは第１コネクタホルダ２４を第２コネクタホルダ２５に連結するように連結突起２５Ｋに引っ掛けられる。連結突起２５Ｋは第２方向Ｄ３において第１リブ２５Ｒ１および第２リブ２５Ｒ２の間に配置されている。本実施形態では、連結突起２５Ｋは第４壁面２５Ｃ２上に設けられている。連結突起２５Ｋは第４壁面２５Ｃ２から第１方向Ｄ４に突出している。連結突起２５Ｋはホルダ連結部２４Ｋの連結溝２４Ｋ１内に配置されている。
【００６２】
図１２はコネクタ収容部２２の断面図である。図１２に示すように、第１壁２５Ｂは軸方向Ｄ１において第２ホルダ本体２５Ａから画定された第１軸方向長さＡＬ１２を有している。第２壁２５Ｃは軸方向Ｄ１において第２ホルダ本体２５Ａから画定された第２軸方向長さＡＬ２２を有している。本実施形態では、第２軸方向長さＡＬ２２は第１軸方向長さＡＬ１２よりも短い。第２長さＡＬ２１は第２軸方向長さＡＬ２２よりも長い。しかし、第２軸方向長さＡＬ２２は第１軸方向長さＡＬ１２と同じか第１軸方向長さＡＬ１２よりも長くてもよい。第２長さＡＬ２１は第２軸方向長さＡＬ２２と同じか第２軸方向長さＡＬ２２よりも短くてもよい。
【００６３】
図１３は第２コネクタホルダ２５の斜視図である。図１３に示すように、第２コネクタホルダ２５は第３壁２５Ｅおよび第４壁２５Ｆを含んでいる。第４壁２５Ｆは第１壁２５Ｂと第２方向Ｄ３に間隔を空けて配置されている。第３壁２５Ｅは、第４壁２５Ｆから第１壁２５Ｂまで第２方向Ｄ３に延びており、第４壁２５Ｆを第１壁２５Ｂに連結している。第３壁２５Ｅは、第２方向Ｄ３において第２壁２５Ｃと反対側へ第１壁２５Ｂから延びている。第１凸部Ｖ１は第３壁２５Ｅから突出している。
【００６４】
第１凸部Ｖ１は第１ベース部Ｖ１Ａおよび第１延長部Ｖ１Ｂを含んでいる。第１ベース部Ｖ１Ａは第３壁２５Ｅから第１方向Ｄ４に沿って突出している。第１延長部Ｖ１Ｂは第３壁２５Ｅと第１方向Ｄ４に間隔を空けて配置されている。第１延長部Ｖ１Ｂは第１ベース部Ｖ１Ａの先端から第３壁２５Ｅに沿って（長手方向Ｄ３に沿って）延びている。第１延長部Ｖ１Ｂは第１ベース部Ｖ１Ａの先端から第４凸部Ｖ４の方に延びている。第１凸部Ｖ１は軸方向Ｄ１に沿って延びている。第４凸部Ｖ４は軸方向Ｄ１に沿って延びている。図７に示すように、第１延長部Ｖ１Ｂは第１ベース部Ｖ１Ａからコネクタ収容空間２２Ａの方に延びている。
【００６５】
図１４は第２コネクタホルダ２５の斜視図である。図１４に示すように、第１壁２５Ｂ、第３壁２５Ｅ、および第４壁２５Ｆは内部空間２５Ｓを画定している。第２コネクタホルダ２５は、第１ホルダ連結部２５Ｇ、第２ホルダ連結部２５Ｈ、および第３ホルダ連結部２５Ｊを含んでいる。第１ホルダ連結部２５Ｇは内部空間２５Ｓ内に配置されている。第２ホルダ連結部２５Ｈは第２ホルダ本体２５Ａから軸方向Ｄ１に沿って延びている。第３ホルダ連結部２５Ｊは第２ホルダ本体２５Ａから軸方向Ｄ１に沿って延びている。
【００６６】
図１１に示すように、第２コネクタホルダ２５を第１コネクタホルダ２４に組み付ける際、第２コネクタホルダ２５は第１コネクタホルダ２４のコネクタ収容空間２２Ａに軸方向Ｄ１に挿入される。第１コネクタホルダ２４は第１連結突起２４Ｄおよび第２連結突起２４Ｅを含んでいる。図５に示すように、第１連結突起２４Ｄは第１ホルダ本体２４Ａから突出している。第１ホルダ連結部２５Ｇは第１連結突起２４Ｄに引っ掛けられている。
【００６７】
図１５および図１６はコネクタ収容部２２の断面図である。図１５に示すように、第２連結突起２４Ｅは第１ホルダ本体２４Ａから突出している。第２ホルダ連結部２５Ｈは第２連結突起２４Ｅに引っ掛けられている。図１６に示すように、第３ホルダ連結部２５Ｊは回転体本体２１の筒状部２１Ｂに引っ掛けられている。こうして、第２コネクタホルダ２５が第１コネクタホルダ２４に取り付けられている。
【００６８】
図１７および図１８は第１コネクタホルダ２４の斜視図である。図１７に示すように、第１凹部Ｃ１、第２凹部Ｃ２、および第４凹部Ｃ４は軸方向Ｄ１に沿って延びている。図１８に示すように、第３凹部Ｃ３は軸方向Ｄ１に沿って延びている。
【００６９】
図１９はコネクタ収容部２２の断面図である。図１９に示すように、コネクタ収容空間２２Ａは収容空間２２Ａ４を含んでいる。収容空間２２Ａ４は収容空間２２Ａ１〜２２Ａ３（図７）と連通している。電気コネクタ３０および第２コネクタホルダ２５のコネクタ支持部２５Ｄは収容空間２２Ａ４内に配置されている。第１継ぎ目Ｓ１は第３外面２２Ｅから収容空間２２Ａ４まで延びている。第３継ぎ目Ｓ３はホルダ収容空間２４Ｂ（内部空間２５Ｓ）から収容空間２２Ａ４まで延びている。
【００７０】
図２０はコネクタ収容部２２の断面図である。図２０に示すように、コネクタ収容部２２は第４継ぎ目Ｓ４を含んでいる。第４継ぎ目Ｓ４は第１コネクタホルダ２４および第２コネクタホルダ２５の間に設けられている。より詳細には、第１コネクタホルダ２４は湾曲壁２４Ｃを含んでいる。第４継ぎ目Ｓ４は湾曲壁２４Ｃおよびコネクタ支持部２５Ｄの間に設けられている。第４継ぎ目Ｓ４は湾曲壁２４Ｃに沿って延びている。図１３に示すように、湾曲壁２４Ｃは第１ホルダ本体２４Ａから軸方向Ｄ１に沿って延びている。
【００７１】
図２１はコネクタ収容部２２の斜視図である。図２１に示すように、第４継ぎ目Ｓ４は第１継ぎ目Ｓ１とつながっている。なお、第４継ぎ目Ｓ４は省略されてもよい。
【００７２】
回転コネクタ装置１の特徴は以下の通りである。
（Ａ１）図７に示すように、回転コネクタ装置１では、第１継ぎ目Ｓ１が第３外面２２Ｅおよび第４外面２２Ｆのうち一方からコネクタ収容空間２２Ａの方に延びているので、例えば、第２外面２２Ｄに液体がこぼれた場合に、第１継ぎ目Ｓ１を通ってコネクタ収容空間２２Ａへ液体が到達するのを抑制できる。したがって、回転コネクタ装置１の耐環境性を高めることができる。
【００７３】
例えば、図２２に示すように、回転体２０が中立位置にある中立状態において、第２外面２２Ｄは上方向を向いており、第３外面２２Ｅおよび第４外面２２Ｆは横方向を向いている。したがって、中立状態において回転コネクタ装置１の上側から液体Ｌがこぼれても、第１継ぎ目Ｓ１を通ってコネクタ収容空間２２Ａへ液体Ｌが到達するのを抑制することができる。
【００７４】
また、図２３に示すように、回転体２０が中立位置から右に９０度回転した第１回転状態において、第２外面２２Ｄは横方向を向いており、第３外面２２Ｅは下方向を向いている。したがって、第１回転状態において回転コネクタ装置１の上側から液体Ｌがこぼれても、第１継ぎ目Ｓ１を通ってコネクタ収容空間２２Ａへ液体Ｌが到達するのを抑制することができる。
（Ａ２）図８に示すように、第１継ぎ目Ｓ１が回転軸線Ａ１に沿って延びているので、第１コネクタホルダ２４と第２コネクタホルダ２５との連結強度を高めることができる。
（Ａ３）図７に示すように、第２外面２２Ｄが第１コネクタホルダ２４および第２コネクタホルダ２５のうち第１コネクタホルダ２４上にのみ設けられている。すなわち、第１コネクタホルダ２４と第２コネクタホルダ２５との間の継ぎ目が第２外面２２Ｄには存在しないので、回転コネクタ装置１の耐環境性をさらに高めることができる。
（Ａ４）図７に示すように、第３外面２２Ｅが第１コネクタホルダ２４および第２コネクタホルダ２５上に設けられているので、第１コネクタホルダ２４と第２コネクタホルダ２５との間に設けられた第１継ぎ目Ｓ１を第３外面２２Ｅに設けることができる。
（Ａ５）図７に示すように、第１継ぎ目Ｓ１は第３外面２２Ｅからコネクタ収容空間２２Ａの方に延びている。第４外面２２Ｆは第１コネクタホルダ２４および第２コネクタホルダ２５のうち第１コネクタホルダ２４上にのみ設けられている。すなわち、第１コネクタホルダ２４と第２コネクタホルダ２５との間の継ぎ目が第４外面２２Ｆには存在しないので、回転コネクタ装置１の耐環境性をさらに高めることができる。
（Ａ６）図７に示すように、第１凹部Ｃ１および第１凸部Ｖ１を設けることで第１コネクタホルダ２４と第２コネクタホルダ２５との連結強度を高めることができる。
（Ａ７）図７に示すように、第１継ぎ目Ｓ１が少なくとも部分的に第１凹部Ｃ１および第１凸部Ｖ１の間に設けられているので、第１コネクタホルダ２４と第２コネクタホルダ２５との連結強度を高めつつ、回転コネクタ装置１の耐環境性を高めることができる。
（Ａ８）図７に示すように、第１凹部Ｃ１および第１凸部Ｖ１が収容部外面２２Ｂとコネクタ収容空間２２Ａとの間に配置されているので、コネクタ収容部２２の内部に第１凹部Ｃ１および第１凸部Ｖ１を設けることができ、第１コネクタホルダ２４と第２コネクタホルダ２５との連結強度を高めつつ、回転コネクタ装置１の耐環境性を高めることができる。
（Ａ９）図７に示すように、第２継ぎ目Ｓ２を設けることで第１コネクタホルダ２４および第２コネクタホルダ２５の設計の自由度を高めることができる。
（Ａ１０）図７に示すように、第２凹部Ｃ２および第２凸部Ｖ２を設けることで第１コネクタホルダ２４と第２コネクタホルダ２５との連結強度を高めることができる。
（Ａ１１）図７に示すように、第２継ぎ目Ｓ２が少なくとも部分的に第２凹部Ｃ２および第２凸部Ｖ２の間に設けられているので、第１コネクタホルダ２４と第２コネクタホルダ２５との連結強度を高めつつ、回転コネクタ装置１の耐環境性を高めることができる。
（Ａ１２）図７に示すように、第２凹部Ｃ２および第２凸部Ｖ２が収容部外面２２Ｂとコネクタ収容空間２２Ａとの間に配置されているので、コネクタ収容部２２の内部に第２凹部Ｃ２および第２凸部Ｖ２を設けることができ、第１コネクタホルダ２４と第２コネクタホルダ２５との連結強度を高めつつ、回転コネクタ装置１の耐環境性を高めることができる。
（Ａ１３）図７に示すように、第３継ぎ目Ｓ３を設けることで第１コネクタホルダ２４および第２コネクタホルダ２５の設計の自由度を高めることができる。
（Ａ１４）図７に示すように、第３凹部Ｃ３および第３凸部Ｖ３を設けることで第１コネクタホルダ２４と第２コネクタホルダ２５との連結強度を高めることができる。
（１５）図７に示すように、第３継ぎ目Ｓ３が少なくとも部分的に第３凹部Ｃ３および第３凸部Ｖ３の間に設けられているので、第１コネクタホルダ２４と第２コネクタホルダ２５との連結強度を高めつつ、回転コネクタ装置１の耐環境性を高めることができる。
（Ａ１６）図７に示すように、第３凹部Ｃ３および第３凸部Ｖ３が収容部外面２２Ｂとコネクタ収容空間２２Ａとの間に配置されているので、コネクタ収容部２２の内部に第３凹部Ｃ３および第３凸部Ｖ３を設けることができ、第１コネクタホルダ２４と第２コネクタホルダ２５との連結強度を高めつつ、回転コネクタ装置１の耐環境性を高めることができる。
（Ａ１７）図７に示すように、第４凹部Ｃ４および第４凸部Ｖ４を設けることで第１コネクタホルダ２４と第２コネクタホルダ２５との連結強度を高めることができる。
（Ａ１８）図７に示すように、第１継ぎ目Ｓ１が少なくとも部分的に第４凹部Ｃ４および第４凸部Ｖ４の間に設けられているので、第１コネクタホルダ２４と第２コネクタホルダ２５との連結強度を高めつつ、回転コネクタ装置１の耐環境性を高めることができる。
（Ａ１９）図７に示すように、第４凹部Ｃ４および第４凸部Ｖ４が収容部外面２２Ｂとコネクタ収容空間２２Ａとの間に配置されているので、コネクタ収容部２２の内部に第４凹部Ｃ４および第４凸部Ｖ４を設けることができ、第１コネクタホルダ２４と第２コネクタホルダ２５との連結強度を高めつつ、回転コネクタ装置１の耐環境性を高めることができる。
（Ａ２０）図７に示すように、回転軸線Ａ１に沿って見た場合に、第３外面２２Ｅの長さＬ３が第２外面２２Ｄの長さＬ２よりも短いので、コネクタ収容部２２の収容部外面２２Ｂ上に液体がこぼれた場合に、第３外面２２Ｅ上に液体がとどまる時間を短くすることができる。これにより、回転コネクタ装置１の耐環境性を高めることができる。
【００７５】
例えば、図２４に示すように、回転体２０が中立位置から左に９０度回転した第２回転状態において、第２外面２２Ｄは横方向を向いており、第３外面２２Ｅは上方向を向いている。しかし、第３外面２２Ｅの長さＬ３が第２外面２２Ｄの長さＬ２よりも短いので、第２回転状態において回転コネクタ装置１の上側から液体がこぼれても、第１継ぎ目Ｓ１を通ってコネクタ収容空間２２Ａへ液体が到達するのを抑制することができる。
（Ｂ１）図１０に示すように、第２壁２５Ｃが第１壁２５Ｂに対して第１継ぎ目Ｓ１と反対側に配置されているので、コネクタ収容空間２２Ａに侵入する液体が電気コネクタ３０へ到達するのを第１壁２５Ｂおよび第２壁２５Ｃにより抑制することができる。したがって、回転コネクタ装置１の耐環境性を高めることができる。
【００７６】
例えば、図２５に示すように、第２回転状態において第１継ぎ目Ｓ１を通ってコネクタ収容空間２２Ａに侵入する液体が電気コネクタ３０に到達するのを第１壁２５Ｂおよび第２壁２５Ｃにより抑制することができる（図１３も参照）。
【００７７】
また、図２６に示すように、回転体２０が中立位置から左に４５度回転した第３回転状態において、第２回転状態において第１継ぎ目Ｓ１を通ってコネクタ収容空間２２Ａに侵入する液体が電気コネクタ３０に到達するのを第１壁２５Ｂおよび第２壁２５Ｃにより抑制することができる（図１３も参照）。
（Ｂ２）図１０に示すように、第２方向Ｄ３は第１方向Ｄ４に垂直であるので、コネクタ収容空間２２Ａに侵入する液体が電気コネクタ３０へ到達するのを効果的に第１壁２５Ｂおよび第２壁２５Ｃにより抑制することができる。
（Ｂ３）図１０に示すように、第２長さＡＬ２１が第１長さＡＬ１１よりも長いので、コネクタ収容空間２２Ａに侵入する液体が電気コネクタ３０へ到達するのをより効果的に第１壁２５Ｂおよび第２壁２５Ｃにより抑制することができる。
（Ｂ４）図１２に示すように、第２軸方向長さＡＬ２２が第１軸方向長さＡＬ１２よりも短いので、コネクタ収容空間２２Ａに侵入する液体が電気コネクタ３０へ到達するのを抑制しつつ、コネクタ収容空間２２Ａを有効活用することができる。
（Ｂ５）図１０に示すように、第１コネクタホルダ２４を第２壁２５Ｃに連結するホルダ連結部２４Ｋを第１コネクタホルダ２４が含んでいるので、第１コネクタホルダ２４と第２コネクタホルダ２５とを連結するのに第２壁２５Ｃを利用することができる。
（Ｂ６）図１０に示すように、第２コネクタホルダ２５は第２壁２５Ｃ上に設けられた連結突起２５Ｋを含んでいる。ホルダ連結部２４Ｋは第１コネクタホルダ２４を第２コネクタホルダ２５に連結するように連結突起２５Ｋに引っ掛けられる。したがって、第２壁２５Ｃを利用して第１コネクタホルダ２４と第２コネクタホルダ２５とを連結強度を高めることができる。
（Ｂ７）図１０に示すように、第２壁２５Ｃが第１壁２５Ｂ面から第２方向Ｄ３に延びているので、コネクタ収容空間２２Ａに侵入する液体が電気コネクタ３０へ到達するのを効果的に第１壁２５Ｂおよび第２壁２５Ｃにより抑制することができる。
（Ｂ８）図１０に示すように、連結突起２５Ｋが第４壁面２５Ｃ２面上に設けられているので、第２壁２５Ｃを利用して第１コネクタホルダ２４と第２コネクタホルダ２５とを連結強度を高めることができる。
（Ｂ９）図１０に示すように、連結突起２５Ｋは第２方向Ｄ３において第１リブ２５Ｒ１および第２リブ２５Ｒ２の間に配置されているので、第２壁２５Ｃを利用して第１コネクタホルダ２４と第２コネクタホルダ２５とを連結強度を効果的に高めることができる。
【００７８】
なお、本願においては、「備えている」およびその派生語は、構成要素の存在を説明する非制限用語であり、記載されていない他の構成要素の存在を排除しない。これは、「有している」、「含んでいる」およびそれらの派生語にも適用される。
【００７９】
本願において、「第１」や「第２」などの序数は、単に構成を識別するための用語であって、他の意味（例えば特定の順序など）は有していない。例えば、「第１要素」があるからといって「第２要素」が存在していることを暗に意味しているわけではなく、また「第２要素」があるからといって「第１要素」が存在していることを暗に意味しているわけではない。
【００８０】
また、本開示における「平行」「直交」および「一致」の表現は、厳密に解釈されるべきではなく、「実質的な平行」「実質的な直交」および「実質的な一致」の意味をそれぞれ含む。また、その他の配置に関する表現も、厳密に解釈されるものではない。
【００８１】
また、本開示における「ＡおよびＢのうち少なくとも１つ」という表現は、例えば、（１）Ａのみ、（２）Ｂのみ、および（３）ＡおよびＢの両方、のいずれも包含している。「Ａ、ＢおよびＣのうち少なくとも１つ」という表現は、例えば、（１）Ａのみ、（２）Ｂのみ、（３）Ｃのみ、（４）ＡおよびＢ、（５）ＢおよびＣ、（６）ＡおよびＣ、（７）Ａ、ＢおよびＣの全て、のいずれも包含している。本開示では、「ＡおよびＢのうち少なくとも１つ」という表現は、「Ａのうち少なくとも１つおよびＢのうち少なくとも１つ」とは解釈されない。
【００８２】
上記の開示内容から考えて、本発明の種々の変更や修正が可能であることは明らかである。したがって、本発明の趣旨を逸脱しない範囲で、本願の具体的な開示内容とは別の方法で本発明が実施されてもよい。
【符号の説明】
【００８３】
１        ：回転コネクタ装置
１０      ：ステータ
２０      ：回転体
２１      ：回転体本体
２２      ：コネクタ収容部
２２Ａ    ：コネクタ収容空間
２２Ｂ    ：収容部外面
２２Ｃ    ：第１外面
２２Ｄ    ：第２外面
２２Ｅ    ：第３外面
２２Ｆ    ：第４外面
２４      ：第１コネクタホルダ
２４Ｋ    ：ホルダ連結部
２５      ：第２コネクタホルダ
２５Ａ    ：第２ホルダ本体
２５Ｂ    ：第１壁
２５Ｂ１  ：第１壁面
２５Ｂ２  ：第３壁面
２５Ｃ    ：第２壁
２５Ｃ１  ：第２壁面
２５Ｃ２  ：第４壁面
２５Ｋ    ：連結突起
３０      ：電気コネクタ
５０      ：ケーブル収容空間
６０      ：電気ケーブル
Ａ１      ：回転軸線
Ｓ１      ：第１継ぎ目
Ｓ２      ：第２継ぎ目
Ｓ３      ：第３継ぎ目
Ｓ４      ：第４継ぎ目
Ｃ１      ：第１凹部
Ｃ２      ：第２凹部
Ｃ３      ：第３凹部
Ｃ４      ：第４凹部
Ｖ１      ：第１凸部
Ｖ２      ：第２凸部
Ｖ３      ：第３凸部
Ｖ４      ：第４凸部
【図１】
2020136142.tif 000003
【図２】
2020136142.tif 000004
【図３】
2020136142.tif 000005
【図４】
2020136142.tif 000006
【図５】
2020136142.tif 000007
【図６】
2020136142.tif 000008
【図７】
2020136142.tif 000009
【図８】
2020136142.tif 000010
【図９】
2020136142.tif 000011
【図１０】
2020136142.tif 000012
【図１１】
2020136142.tif 000013
【図１２】
2020136142.tif 000014
【図１３】
2020136142.tif 000015
【図１４】
2020136142.tif 000016
【図１５】
2020136142.tif 000017
【図１６】
2020136142.tif 000018
【図１７】
2020136142.tif 000019
【図１８】
2020136142.tif 000020
【図１９】
2020136142.tif 000021
【図２０】
2020136142.tif 000022
【図２１】
2020136142.tif 000023
【図２２】
2020136142.tif 000024
【図２３】
2020136142.tif 000025
【図２４】
2020136142.tif 000026
【図２５】
2020136142.tif 000027
【図２６】
2020136142.tif 000028